(57)【要約】【課題】  １個のキーに３つの機能を持たせるとともに、倍速トグルモードに移行後の操作をより迅速に行えるようにする。【解決手段】    早送り再生キーとスキップ前方サーチキーとを１個の前進方向キー１３ｇで兼用するとともに、早戻し再生キーとスキップ後方サーチキーとを１個の後進方向キー１３ｈで兼用した情報再生装置において、通常再生モード時、制御部１８は、前進方向キー１３ｇまたは後進方向キー１３ｈのキー機能の切り換えを当該方向キーの押す時間長さで判別して切り換えるとともに、早送り再生または早戻し再生といった倍速トグルモードでの再生速度の切換モードを同じ方向キーの押す時間長さで判別して切り換えるように制御する。すなわち、１個の前進方向キー１３ｇまたは後進方向キー１３ｈが、倍速トグルモードに移行させる機能とスキップサーチモードに移行させる機能と倍速トグルモードでの再生速度の切換モードの選択機能との３つの機能を持っている。【選択図】  図１
2005158178.tif 000002
【特許請求の範囲】
【請求項１】
早送り再生キーとスキップ前方サーチキーとを１個の前進方向キーで兼用するとともに、早戻し再生キーとスキップ後方サーチキーとを１個の後進方向キーで兼用した情報再生装置において、
通常再生モード時、前記前進方向キーまたは後進方向キーのキー機能の切り換えを当該方向キーの押す時間長さで判別して切り換えるとともに、早送り再生または早戻し再生といった倍速トグルモードでの再生速度の切換モードを同じ方向キーの押す時間長さで判別して切り換える再生制御部を備えており、
通常再生モード時、前記再生制御部は、一の方向キーが長押しされることによってその方向の倍速トグルモードに移行する一方、前記一の方向キーが単押しされることによってその方向のスキップサーチモードに移行し、かつ、倍速トグルモード時に前記一の方向キーが長押しされることによってその押されている間中、所定時間が経過するたびに１段階ずつ順次速度を上げる連続速度制御を行うとともに、前記一の方向キーが単押しされるたびに１段階ずつ速度を上げる単発速度制御を行い、さらに、その方向の倍速トグルモード時に他の方向キーが単押しされることによって速度を減速するとともに、他の方向キーが長押しされることによって逆方向の倍速トグルモードに切り換えることを特徴とする情報再生装置。
【請求項２】
早送り再生キーとスキップ前方サーチキーとを１個の前進方向キーで兼用するとともに、早戻し再生キーとスキップ後方サーチキーとを１個の後進方向キーで兼用した情報再生装置において、
通常再生モード時、前記前進方向キーまたは後進方向キーのキー機能の切り換えを当該方向キーの押す時間長さで判別して切り換えるとともに、早送り再生または早戻し再生といった倍速トグルモードでの再生速度の切換モードを同じ方向キーの押す時間長さで判別して切り換える再生制御部を備えており、前記１個の方向キーが、倍速トグルモードに移行させる機能とスキップサーチモードに移行させる機能と倍速トグルモードでの再生速度の切換モードの選択機能との３つの機能を持つことを特徴とする情報再生装置。
【請求項３】
通常再生モード時、前記再生制御部は、前記方向キーが長押しされることによって倍速トグルモードに移行する一方、前記方向キーが単押しされることによってスキップサーチモードに移行し、かつ、倍速トグルモード時に前記方向キーが長押しされることによってその押されている間中、所定時間が経過するたびに１段階ずつ順次速度を上げる連続速度制御を行うとともに、前記方向キーが単押しされるたびに１段階ずつ速度を上げる単発速度制御を行うことを特徴とする請求項２に記載の情報再生装置。
【請求項４】
前記再生制御部は、通常再生モードから倍速トグルモードに移行後、一定時間の間前記方向キーが押されなかった場合には、前記方向キーの機能を再び通常再生モード時の状態に戻すことを特徴とする請求項３に記載の情報再生装置。
【請求項５】
前記一定時間は、通常再生モードから倍速トグルモードに移行直後は比較的長い第１の時間に設定され、倍速トグルモードに移行後最初にキー操作が行われた後は前記第１の時間より短い第２の時間に設定されることを特徴とする請求項４に記載の情報再生装置。
【請求項６】
前記連続速度制御は、前記方向キーの押している時間が長くなるほど前記所定時間が次第に短くなるように制御して速度変化を速くすることを特徴とする請求項３に記載の情報再生装置。
【請求項７】
前記再生制御部は、倍速トグルモード時の前記方向キーの長押しによって倍速が最高速度に達した後、予め設定された第３の時間内に長押しが解除された場合には、その最高速度の倍速トグル状態を維持しつつ前記方向キーの機能を再び通常再生モード時の状態に戻す一方、前記第３の時間経過後に長押しが解除された場合には、画面を倍速トグルモードから通常再生モードに変更するとともに前記方向キーの機能を再び通常再生モード時の状態に戻すことを特徴とする請求項３に記載の情報再生装置。
【発明の詳細な説明】
【技術分野】
【０００１】
本発明は、光ディスク装置等の情報再生装置に係り、より詳細には、早送り再生キーとスキップ前方サーチキーとを１個の前進方向キーで兼用するとともに、早戻し再生キーとスキップ後方サーチキーとを１個の後進方向キーで兼用した情報再生装置に関する。
【背景技術】
【０００２】
従来より、1個のキーに２つの機能を持たせるようにした装置が種々提案されている。
【０００３】
例えば、選曲用操作キーの押圧時間が任意の一定時間より短いときにはスキップモード状態かマニュアルサーチモード状態のいずれか一方をモード選択手段で選択して設定し、選曲用操作キーの押圧時間が任意の一定時間より長いときにはスキップモード状態かマニュアルサーチモード状態の他方をモード選択手段で選択して設定するようにしたコンパクトディスクプレーヤが提案されている（例えば、特許文献１参照）。
【０００４】
また、早戻しキーまたは早送りキーを所定の時間押す（または連続して２回押す）ことにより、例えば５分間のタイムスキップをするように構成された光ディスクプレーヤが提案されている（例えば、特許文献２参照）。
【特許文献１】特開昭６１−２７１６６０号公報
【特許文献２】特開平９−１９０６７４号公報
【発明の開示】
【発明が解決しようとする課題】
【０００５】
このように、１個のキーに２つの機能を持たせることは従来から行われているが、１個のキーに３つの機能を持たせることは従来行われていなかった。これは、１個のキーに多くの機能を持たせることで操作が煩雑になる可能性があるからである。
【０００６】
一方、光ディスク装置やビデオカセットレコーダ等の情報再生装置では、早送り再生キーとスキップ前方サーチキーとを１個の前進方向キーで兼用し、早戻し再生キーとスキップ後方サーチキーとを１個の後進方向キーで兼用することがすでに行われている。
【０００７】
この場合、例えば前進方向キーを長押しすることで早送り再生である倍速トグルモードに移行し、前進方向キーを単押しすることでスキップサーチモードに移行するようになっている。これは、後進方向キーも同じである。
【０００８】
さらに、前進方向キーを長押しすることで倍速トグルモードに移行後、その再生速度を変更したい場合には、再度前進方向キーを長押しする必要がある。つまり、倍速トグルモードを選択し、その再生速度を変更したい場合の操作は、「長押し→離す→長押し」といった操作となり、倍速トグルモードに移行後の倍速変更操作が時間のかかる煩わしい操作となっていた。
【０００９】
本発明はかかる問題点を解決すべく創案されたもので、その目的は、１個のキーに３つの機能を持たせるとともに、倍速トグルモードに移行後の速度切り換え操作をより迅速に行えるようにした情報再生装置を提供することにある。
【課題を解決するための手段】
【００１０】
本発明の情報再生装置は、早送り再生キーとスキップ前方サーチキーとを１個の前進方向キーで兼用するとともに、早戻し再生キーとスキップ後方サーチキーとを１個の後進方向キーで兼用した情報再生装置において、通常再生モード時、前記前進方向キーまたは後進方向キーのキー機能の切り換えを当該方向キーの押す時間長さで判別して切り換えるとともに、早送り再生または早戻し再生といった倍速トグルモードでの再生速度の切換モードを同じ方向キーの押す時間長さで判別して切り換える再生制御部を備えており、前記１個の方向キーが、倍速トグルモードに移行させる機能とスキップサーチモードに移行させる機能と倍速トグルモードでの再生速度の切換モードの選択機能との３つの機能を持つことを特徴とする。
【００１１】
具体的には、通常再生モード時、前記再生制御部は、前記方向キーが長押しされることによって倍速トグルモードに移行する一方、前記方向キーが単押しされることによってスキップサーチモードに移行し、かつ、倍速トグルモード時に前記方向キーが長押しされることによってその押されている間中、所定時間が経過するたびに１段階ずつ順次速度を上げる連続速度制御を行うとともに、前記方向キーが単押しされるたびに１段階ずつ速度を上げる単発速度制御を行う。
【００１２】
すなわち、倍速トグルモードに移行した時点では、通常２倍速の早送り再生となっている。そのため、ユーザは、より先に進みたい場合には、前進方向キーの単押しを繰り返すことで、例えば、４倍速、８倍速、１６倍速、３２倍速、６４倍速、１００倍速といった具合に、再生速度を一気に最大速度まで上げていくことができる。一方、少し先に進みたい場合には、前進方向キーを長押しする。これにより、再生速度は、所定時間（例えば、１秒）が経過するたびに、例えば４倍速、８倍速、１６倍速、・・・、と順次上がっていくので、再生画面を見ながら適当なところで長押しを中止し、所望の位置まで早送りを行うことができる。これは、早戻し再生キーとスキップ後方サーチキーとを兼用する後進方向キーの場合も同じである。
【００１３】
一方、前記再生制御部は、通常再生モードから倍速トグルモードに移行後、一定時間（例えば、０．５〜１秒等）の間前記方向キーが押されなかった場合には、前記方向キーの機能を再び通常再生モード時の状態に戻す。すなわち、倍速トグルモードに移行しても一定時間ユーザがキーを操作しないということは、倍速再生を行う意志がなくなったと判断できるので、この場合には、方向キーの機能を通常再生時の状態、すなわち倍速トグルモードを選択するのかスキップサーチモードを選択するのかの選択入力待ち状態に復帰させる。
【００１４】
この場合、前記一定時間は、通常再生モードから倍速トグルモードに移行直後は比較的長い第１の時間（例えば２〜３秒等）に設定し、倍速トグルモードに移行後最初にキー操作が行われた後は前記第１の時間より短い第２の時間（０．５〜１秒等）に設定してもよい。すなわち、方向キーを長押しして倍速トグルモードに移行した時点では、ユーザは、画面を見ながら連続速度制御または単発速度制御のどちらの速度切換モードを選択すればよいかを考える可能性がある。そのため、この考える時間をある程度確保するという意味で、方向キーを長押しして倍速トグルモードに移行した時点では、方向キーの機能を通常再生時の状態に戻すまでの時間を比較的長い第１の時間とする。一方、ユーザが、速度切換モードを決定して、そのキー操作を行った後は、キー操作の間隔が開くことはあまり考えられないので、この場合には、方向キーの機能を通常再生時の状態に戻すまでの時間を比較的短い第２の時間とする。
【００１５】
ところで、倍速トグルモードに移行した後、方向キーを長押しした場合には、その押されている間中、所定時間（例えば、１秒等）が経過するたびに１段階ずつ順次速度を上げる連続速度制御を行うが、ユーザが長押しし続ける場合には、方向キーの押している時間が長くなるほど、所定時間を次第に短くするように制御して速度変化を速くしてもよい。ユーザが長押しし続けるということは、単押しと同様に、早く最高速度の例えば１００倍速まで上げたいという意図があると考えられるので、この場合には、再生速度を加速度的に増加して、早く最高速度に達するように制御する。このような制御により、ユーザの意図に合った制御が可能となる。
【００１６】
また、再生制御部は、倍速トグルモード時の方向キーの長押しによって倍速が最高速度に達した後、予め設定された第３の時間（例えば、５秒等）内に長押しが解除された場合には、その最高速度の倍速トグル状態を維持しつつ、方向キーの機能を再び通常再生モード時の状態に戻す一方、第３の時間（５秒等）経過後に長押しが解除された場合には、画面を倍速トグルモードから通常再生モードに変更するとともに、方向キーの機能を再び通常再生モード時の状態に戻すように制御してもよい。すなわち、倍速トグルモード時の方向キーの長押しによって倍速が最高速度に達した後、予め設定された第３の時間（５秒等）内に長押しが解除されるということは、ユーザが早く最高速度に持っていきたいという意図があったと考えられるので、この場合には、長押しを解除しても最高速度の例えば１００倍速を維持する。一方、倍速トグルモード時の方向キーの長押しによって倍速が最高速度に達した後、予め設定された第３の時間（５秒等）を経過しても長押しされている場合には、ユーザが画面を見ながら解除のタイミングを図っていると考えられるので、この場合には、長押しが解除された時点で、倍速トグルモードから通常再生モードに変更する。これにより、ユーザの意図に合った制御が可能となる。
【００１７】
上記の各制御は、倍速トグルモードに移行した後のキー操作が、前進方向キーのみまたは後進方向キーのみの単押しまたは長押しに対応した制御であったが、前進方向キーと後進方向キーを組み合わせて使用することで、早送り再生または早戻し再生の加速と減速の制御、及び早送り再生から早戻し再生への切り換え制御等を行うことができる。
【００１８】
すなわち、通常再生モード時、再生制御部は、一の方向キーが長押しされることによってその方向の倍速トグルモードに移行する一方、一の方向キーが単押しされることによってその方向のスキップサーチモードに移行し、かつ、倍速トグルモード時に一の方向キーが長押しされることによってその押されている間中、所定時間が経過するたびに１段階ずつ順次速度を上げる連続速度制御を行うとともに、一の方向キーが単押しされるたびに１段階ずつ速度を上げる単発速度制御を行い、さらに、その方向の倍速トグルモード時に他の方向キーが単押しされることによって速度を減速するとともに、他の方向キーが長押しされることによって逆方向の倍速トグルモードに切り換えるように制御することが可能である。
【００１９】
このように、倍速トグルモード中に例えば前進方向キーを長押しして早送り再生速度を例えば６４倍速としている状態において、後進方向キーが単押しされると、再生制御部は、早送り再生速度を１段階下げて３２倍速とする。一方、後進方向キーが長押しされた場合には、その時点で早送り再生を中止し、即座に早戻し再生に移行する。このときの早戻し再生速度は２倍速である。このようなキー操作による再生制御は、倍速トグルモード中に後進方向キーを長押しして早戻し再生を行っている状態において、前進方向キーが単押しまたは長押しされた場合も同様である。
【発明の効果】
【００２０】
本発明の再生制御装置によれば、１個の方向キーで倍速トグルモードとスキップサーチモードのいずれか一方に切り換えることができるとともに、倍速トグルモードでの再生速度の切換も同じ１個の方向キーの単押しまたは長押しによってスムーズに行うことができる。また、前進方向キーと後進方向キーを組み合わせて使用することで、早送り再生または早戻し再生の加速と減速の制御、及び早送り再生から早戻し再生への切り換え制御等をスムーズに行うことができる。
【発明を実施するための最良の形態】
【００２１】
以下、本発明の実施の形態について、図面を参照して説明する。
【００２２】
図１は、本発明に係る情報再生装置の電気的構成を示すブロック線図である。
【００２３】
本実施形態では、この情報再生装置をＤＶＤプレーヤ１に適用したものであり、リモコン（リモートコントローラ）１３の押キー操作によりＤＶＤ２の記録情報を再生し、モニタ１１の画面に所望の速度で映像を表示させる構成になっている。
【００２４】
図１において、ＤＶＤ２は駆動系のモータ３により回転駆動される。また、光ピックアップ４は、ＤＶＤ２のトラックから光学的に読み取った情報を読出部６に送出するようになっている。なお、モータ３や光ピックアップ４は、サーボ制御部５により動作速度が制御される。
【００２５】
読出部６は、ＤＶＤ２から読み出された圧縮映像音声データを分離化部７に送出する。分離化部７は、圧縮映像音声データを圧縮映像データバケットと圧縮音声データバケットとに分離し、伸長部８へ伝送する。伸長部８は、分離化部７により分離された圧縮映像データバケット及び圧縮音声データバケットをそれぞれ復号して元の映像音声情報に伸長する。これら読出部６、分離化部７及び伸長部８は、一般のデコーダＩＣにより構成されている。
【００２６】
映像出力部９は、伸長部８により伸長された映像データを、例えばテレビ等のモニタ１１の画面に表示させるべくＮＴＳＣあるいはＰＡＬ方式のカラーテレビジョン信号に変換して出力する。音声出力部１０は、伸長部８により伸長された音声データをスピーカ１２に送出して放音させる。
【００２７】
リモコン１３は、そのキー入力部にＤＶＤプレイーヤ１を操作するための各種操作キー（これについては後述する）が設けられており、何れかのキーが押圧操作されると、この操作に応じた指令信号が赤外線信号でＤＶＤプレーヤ１側に送信される。受信部１４は、リモコン１３から送信されてくる赤外線信号を受信し、伝送信号を制御部（再生制御部）１８側に送出する。なお、図中の符号１５は本発明に係わる各種時間を計測するタイマー部であり制御部１８に接続されている。また、符号１７は各種データを記憶するメモリである。
【００２８】
制御部１８は、ＣＰＵ、ＲＯＭ、ＲＡＭ等からなり、リモコン１３からの指令信号に対応したモードに移行し、サーボ制御部５に制御信号を送出して駆動機構を制御することにより、通常のプレイ（再生）、ポーズ（一時停止）、早送り再生または早戻し再生等の特殊再生（倍速トグル状態）を実行する。また、読出部６、分離化部７及び伸長部８等の動作制御を行い、ＤＶＤ２の記録情報を読み出してモニタ１１の画面に映像を表示させ、かつスピーカ１２から音声を放音させる構成となっている。
【００２９】
図２は、リモコン１３のキー入力部に設けられている各種操作キーを示している。リモコン１３には、一般のリモコンと同様、電源オン・オフ用のパワーキー１３ａ、再生キー１３ｂ、一時停止用のポーズキー１３ｃ、停止キー１３ｄ、アップ・ダウンキー１３ｅ及びテンキー１３ｆが設けられているとともに、本発明の特徴である前進方向キー１３ｇ及び後進方向キー１３ｈが設けられている。前進方向キー１３ｇは、早送り再生キーとスキップ前方サーチキーとの兼用キーとなっており、後進方向キー１３ｈは、早戻し再生キーとスキップ後方サーチキーとの兼用キーとなっている。
【００３０】
次に、上記構成のＤＶＤプレーヤ１の通常再生時の動作について説明する。
【００３１】
ユーザが、ＤＶＤ２をセットした後、リモコン１３のキー入力部でパワーキー１３ａをオン操作し、続いて、再生キー１３ｂを操作すると、制御部１８が駆動系の動作を開始させるとともに、読出部６に対し読出開始指令を送出する。ＤＶＤ２が回転するに伴って、光ピックアップ４によりトラックの記録情報が読み取られると、圧縮映像音声データが読取部６より分離化部７に送出される。分離化部７は、圧縮映像音声データを受けて、圧縮映像データバケットと圧縮音声データバケットとを分離し伸長部８に伝送する。
【００３２】
伸長部８は、圧縮映像データバケット及び圧縮音声データバケットをそれぞれ復号して元の映像音声に伸長し、映像データを映像出力部９に、音声データを音声出力部１０にそれぞれ送出する。そして、映像出力部９の映像データは、モニタ１１側に送出され、音声出力部１０の音声データは、スピーカ１２側に供給される。これにより、モニタ１１の画面に再生映像が動画で映し出され、スピーカ１２からは音声が放音される。
【００３３】
次に、通常再生時において前進方向キー１３ｇが押圧操作されたときの各種再生動作の実施例について説明する。なお、後進方向キー１３ｈが押圧操作されたときの再生動作については、以下に説明する前進方向キー１３ｇの操作を後進方向キー１３ｈの操作と読み替えることによって同様の動作となることから、ここでは説明を省略する。
【実施例１】
【００３４】
本実施例１は、本発明に係る最も基本的な再生動作である。以下、図３に示すフローチャートを参照して説明する。
【００３５】
通常再生モード時、制御部１８は、前進方向キー１３ｇが押されたか否かを常時監視し（ステップＳ１）、押された場合には、その押された状態が長押し（例えば１秒等）か、単押しかを判断する（ステップＳ２）。その結果、単押しであった場合（ステップＳ２でＮｏと判断された場合）には、ステップＳ３に進んで、それまでの通常再生モードからスキップ前方サーチモードに移行する。ここで、スキップサーチモード（前方側及び後方側の両方含む）については、従来周知のモードであるので、ここでは説明を省略する。
【００３６】
一方、前進方向キー１３ｇが長押しであった場合（ステップＳ２でＹｅｓと判断された場合）には、その時点で通常再生モードから早送り再生である倍速トグルモードに移行する（ステップＳ４）。
【００３７】
そして、倍速トグルモードに移行後、例えば１秒等の一定時間の間に、同じ前進方向キー１３ｇが再び押されたか否かを監視する（ステップＳ５、ステップＳ６）。その結果、一定時間の間に前進方向キー１３ｇが押されなかった場合（ステップＳ５でＹｅｓと判断された場合）には、再生モードを倍速トグルモードから再び通常再生モードに移行させるとともに、前進方向キー１３ｇの機能を最初の通常再生モード時の状態（すなわち、倍速トグルモードを選択するのかスキップサーチモードを選択するのかの選択入力待ち状態）に復帰させて（ステップＳ７）、ステップＳ１に戻る。すなわち、倍速トグルモードに移行しても一定時間ユーザが前進方向キー１３ｇを操作しないということは、倍速再生を行う意志がなくなったと判断できるので、この場合には、前進方向キー１３ｇの機能を通常再生モード時の状態に復帰させる。ただし、一定時間内に前進方向キー１３ｇを押さない場合でも、倍速トグルモードをそのまま維持してもよい。
【００３８】
一方、倍速トグルモードに移行後、一定時間内に再び前進方向キー１３ｇが押された場合（ステップＳ６でＹｅｓと判断された場合）には、その押された状態が長押し（例えば１秒等）か、単押しかを判断する（ステップＳ８）。
【００３９】
その結果、長押しであった場合（ステップＳ８でＹｅｓと判断された場合）には、前進方向キー１３ｇが長押しされている間中、例えば１秒等の所定時間が経過するたびに１段階ずつ順次速度を上げる連続速度制御を行う（ステップＳ９）。すなわち、倍速トグルモードに移行した時点では、通常２倍速の早送り再生となっている。そのため、その後の長押しが１秒続いたときに４倍速、さらに１秒続いたときに８倍速、さらに１秒続いたときに１６倍速、・・・、というようにして最高１００倍速まで順次速度を上げて行く。従って、ユーザは、少し先に進みたい場合には、前進方向キー１３ｇを長押しすることにより、４倍速、８倍速、１６倍速、・・・と順次上がっていくので、再生画面を見ながら適当なところで長押しを中止し、所望の位置まで早送りを行うことができる。
【００４０】
一方、ステップＳ８において単押しと判断された場合（Ｎｏと判断された場合）には、前進方向キー１３ｇが単押しされるたびに１段階ずつ速度を上げる単発速度制御を行う（ステップＳ１０）。すなわち、倍速トグルモードに移行した時点では、通常２倍速の早送り再生となっている。そのため、ユーザは、より先に進みたい場合には、前進方向キーの単押しを繰り返すことで、４倍速、８倍速、１６倍速、３２倍速、６４倍速、１００倍速といった具合に、再生速度を一気に最大速度（１００倍速）まで上げていくことができる。なお、倍速トグルモードを抜けるには、停止キー１３ｃや再生キー１３ｂ等を押せばよい。
【実施例２】
【００４１】
上記実施例１では、ステップＳ５での一定時間を例えば１秒等の固定として説明しているが、本実施形態２では、この一定時間を複数（ここでは２種類）設定している。
【００４２】
すなわち、前進方向キー１３ｇを長押しして倍速トグルモードに移行した時点では、ユーザは、画面を見ながら連続速度制御または単発速度制御のどちらの速度切換モードを選択すればよいかを考える可能性がある。そのため、この考える時間をある程度確保するという意味で、前進方向キー１３ｇを長押しして倍速トグルモードに移行した時点では、前進方向キー１３ｇの機能を通常再生時の状態に戻すまでの時間を、比較的長い第１の時間（例えば、２〜３秒等）に設定する。一方、ユーザが、速度切換モードを決定して、そのキー操作を行った後は、キー操作の間隔が開くことはあまり考えられないので、この場合には、前進方向キー１３ｇの機能を通常再生時の状態に戻すまでの時間を、比較的短い第２の時間（例えば０．５〜１秒等）に設定するものである。
【００４３】
すなわち、本実施例２は、上記実施例１の処理とは図３に示すステップＳ５の処理が異なるのみであるので、ここでは異なる部分のみを示した図４のフローチャートを参照して、異なる部分のみ説明する。ただし、必要である場合には、図３に示すステップ番号も用いて説明する。
【００４４】
制御部１８は、ステップＳ４で倍速トグルモードに移行すると、次に操作されるキー操作が移行後の最初のキー操作であるか否かを判断する（ステップＳ５−１）。そして、最初のキー操作である場合（ステップＳ５−１でＹｅｓと判断された場合）には、一定時間を第１の時間（２〜３秒等）に設定し、倍速トグルモードに移行後、この第１の時間の間に、同じ前進方向キー１３ｇが再び押されたか否かを監視する（ステップＳ５−２、ステップＳ６）。その後の処理は上記実施例１のステップＳ８以降の処理となる。
【００４５】
一方、ステップＳ４で倍速トグルモードに移行後、次に操作されるキー操作が移行後の最初のキー操作でない場合（ステップＳ５−１でＮｏと判断された場合）には、一定時間を第２の時間（０．５〜１秒等）に設定し、倍速トグルモードに移行後、この第２の時間の間に、同じ前進方向キー１３ｇが再び押されたか否かを監視する（ステップＳ５−３、ステップＳ６）。その後の処理は上記実施例１のステップＳ８以降の処理となる。
【実施例３】
【００４６】
上記実施例１では、倍速トグルモードに移行した後、前進方向キー１３ｇを長押しした場合には、その押されている間中、所定時間（例えば、１秒等）が経過するたびに１段階ずつ順次速度を上げる連続速度制御を行っているが、ユーザが長押しし続けるということは、単押しと同様に、早く最高速度の例えば１００倍速まで上げたいという意図があると考えられる。そこで、本実施例３では、倍速トグルモードに移行後、ユーザが前進方向キー１３ｇを長押しし続ける場合には、前進方向キー１３ｇの押している時間が長くなるほど、所定時間（例えば、１秒等）を次第に短くするように制御して速度変化を速くし、早送り再生速度を加速度的に増加して、早く最高速度に達するように制御するものである。
【００４７】
図５は、前進方向キー１３ｇを長押ししたときの長押し時間と速度変化との関係を示すグラフである。同図（ａ）は、倍速の変化を２倍速、４倍速、８倍速、１６倍速、３２倍速、６４倍速、１００倍速の７段階とした場合のグラフ、同図（ｂ）は倍速の変化をリニアに変化させた場合のグラフである。
【００４８】
このように、本実施例３では、長押しの時間が長くなるほど、早送り再生の速度が加速度的に速くなるように設定している。このような制御により、ユーザの意図に合わせた制御が可能となる。
【実施例４】
【００４９】
本実施例４は、倍速トグルモード時の前進方向キー１３ｇの長押しによって倍速が最高速度に達した後、予め設定された第３の時間（例えば、５秒等）内に長押しが解除された場合と、第３の時間を経過した後で長押しが解除された場合とで、その後の処理を異ならせるようにした実施例である。以下、図６に示すフローチャートを参照して説明する。
【００５０】
すなわち、制御部１８は、通常再生モード時の前進方向キー１３ｇの長押しによって倍速トグルモードに移行後、再度前進方向キー１３ｇが長押しされると（ステップＳ２１でＹｅｓと判断されると）、前進方向キー１３ｇが長押しされている間中、例えば１秒等の所定時間が経過するたびに１段階ずつ順次速度を上げる連続速度制御を行う（ステップＳ２２）。また、制御部１８は、前進方向キー１３ｇの長押しによって倍速が最高速度に達した後、予め設定された第３の時間内に長押しが解除されか否かを監視する（ステップＳ２３〜ステップＳ２６）。その結果、予め設定された第３の時間内に長押しが解除された場合（ステップＳ２４でＮｏ、ステップＳ２５でＹｅｓと判断された場合）には、その最高速度の倍速トグル状態を維持しつつ、前進方向キー１３ｇの機能を再び通常再生モード時の状態、すなわち倍速トグルモードを選択するのかスキップサーチモードを選択するのかの選択入力待ち状態に復帰させる（ステップＳ２７）。
【００５１】
一方、予め設定された第３の時間経過後に長押しが解除された場合（ステップＳ２４でＹｅｓ、ステップＳ２６でＹｅｓと判断された場合）には、再生モードを倍速トグルモードから通常再生モードに変更するとともに、前進方向キー１３ｇの機能を再び通常再生モード時の状態、すなわち倍速トグルモードを選択するのかスキップサーチモードを選択するのかの選択入力待ち状態に復帰させる（ステップＳ２８）。
【００５２】
すなわち、倍速トグルモード時の前進方向キー１３ｇの長押しによって倍速が最高速度に達した後、予め設定された第３の時間内に長押しが解除されるということは、ユーザが早く最高速度に持っていきたいという意図があったと考えられるので、この場合には、長押しを解除しても最高速度の例えば１００倍速を維持する。一方、倍速トグルモード時の前進方向キー１３ｇの長押しによって倍速が最高速度に達した後、予め設定された第３の時間を経過しても長押しされている場合には、ユーザが画面を見ながら解除のタイミングを図っていると考えられるので、この場合には、長押しが解除された時点で、倍速トグルモードから通常再生モードに変更する。これにより、ユーザの意図に合った制御が可能となる。
【実施例５】
【００５３】
上記各実施例１〜４の制御は、倍速トグルモードに移行した後のキー操作が、前進方向キー１３ｇのみまたは後進方向キー１３ｈのみ（ただし、後進方向キー１３ｈについては説明を省略している）の単押しまたは長押しに対応した制御であったが、本実施例５では、前進方向キー１３ｇと後進方向キー１３ｈを組み合わせて使用することで、早送り再生または早戻し再生の加速と減速の制御、及び早送り再生から早戻し再生への即座の切り換え制御等が行えるようにした実施例である。なお、通常再生モードから倍速トグルモードに移行し、その後、方向キーの単押しによって単発速度制御に移行し、または方向キーの長押しによって連続速度制御に移行するまでの処理は、上記実施例１の図３に示すフローチャートの処理と同じであるので、本実施例５では、図３に示すステップＳ９またはステップＳ１０からの処理について、図７に示すフローチャートを参照して説明する。
【００５４】
ここで、本実施例５では、ステップＳ９までの処理及びステップＳ１０までの処理は、いずれも前進方向キー１３ｇのみの操作によって処理されたものとする。
【００５５】
このようにステップＳ９またはステップＳ１０の処理が行われた結果、倍速トグルモードとして例えば６４倍速の早送り再生が行われている状態において、制御部１８は、ユーザによって後進方向キー１３ｈが押されたか否かを監視する（ステップＳ４１）。その結果、後進方向キー１３ｈが押された場合には、次に、そのキー操作が長押しであるのか単押しであるのかを判断する（ステップＳ４２）。そして、単押しされている場合（ステップＳ４２でＮｏと判断された場合）には、現在の再生速度を１段階下げる減速処理を行う（ステップＳ４３）。例えば、６４倍速から３２倍速に減速する。
【００５６】
一方、長押しされている場合（ステップＳ４２でＹｅｓと判断された場合）には、現在の早送り再生から、逆方向の早戻し再生の倍速トグルモードに切り換える（ステップＳ４４）。すなわち、この場合には、６４倍速の早送り再生から、２倍速の早戻し再生に一気に切り換えることになる。なお、このようなキー操作による再生制御は、倍速トグルモード中に後進方向キー１３ｈを長押しして早戻し再生を行っている状態において、前進方向キー１３ｇが単押しまたは長押しされた場合も同様である。
【図面の簡単な説明】
【００５７】
【図１】本発明に係る情報再生装置の電気的構成を示すブロック線図である。
【図２】リモコンのキー入力部に設けられている各種操作キーを示す説明図である。
【図３】本発明の実施例１に係る再生動作を説明するためのフローチャートである。
【図４】本発明の実施例２に係る再生動作を説明するためのフローチャートである。
【図５】本発明の実施例２において、前進方向キーを長押ししたときの長押し時間と速度変化との関係を示すグラフである。
【図６】本発明の実施例４に係る再生動作を説明するためのフローチャートである。
【図７】本発明の実施例５に係る再生動作を説明するためのフローチャートである。
【符号の説明】
【００５８】
１  映像再生装置（ＤＶＤプレーヤ）
２  ＤＶＤ
１３  リモコン（リモートコントローラ）
１３ｇ  前進方向キー
１３ｈ  後進方向キー
１８  制御部（再生制御部）
【図１】
2005158178.tif 000003
【図２】
2005158178.tif 000004
【図３】
2005158178.tif 000005
【図４】
2005158178.tif 000006
【図５】
2005158178.tif 000007
【図６】
2005158178.tif 000008
【図７】
2005158178.tif 000009